(57)【要約】【課題】軽量で取り扱いやすい上に焼却処分も容易で、雑菌繁殖のおそれもすくなく衛生的で、さらには首掛け紐及び腰巻紐と前垂れ部との接合部が非常にほころびにくい構造の前掛けの提供。【解決手段】前垂れ部の上端に首掛け紐を縫着し、該前垂れ部の両側部に左右の腰巻紐をそれぞれ縫着してなる前掛けにおいて、前記首掛け紐の両端部は各々、前記前垂れ部の表裏いずれかの面に縫着されると共に、その反対側の面で該縫着箇所に対応する部位に補強テープの一方の端部が縫着され、さらに該補強テープの他方の端部が前記首掛け紐に縫着されることにより、ループ状の結合部が形成され、そして、前記前垂れ部、首掛け紐、腰巻紐及び補強テープが全てポリオレフィン樹脂から構成されていることを特徴とする前掛け。好ましくは前記結合部が腰巻紐と前垂れ部においても形成されることを特徴とする。【選択図】なし【特許請求の範囲】
【請求項１】
前垂れ部の上端に首掛け紐を縫着し、該前垂れ部の両側部に左右の腰巻紐をそれぞれ縫着してなる前掛けにおいて、前記首掛け紐の両端部は各々、前記前垂れ部の表裏いずれかの面に縫着されると共に、その反対側の面で該縫着箇所に対応する部位に補強テープの一方の端部が縫着され、さらに該補強テープの他方の端部が前記首掛け紐に縫着されることにより、ループ状の結合部が形成され、そして、前記前垂れ部、首掛け紐、腰巻紐及び補強テープが全てポリオレフィン樹脂から構成されていることを特徴とする前掛け。
【請求項２】
前垂れ部の上端に首掛け紐を縫着し、該前垂れ部の両側部に左右の腰巻紐をそれぞれ縫着してなる前掛けにおいて、前記左右の腰巻紐の端部はそれぞれ、前記前垂れ部の表裏いずれかの面に縫着されると共に、その反対側の面で該縫着箇所に対応する部位に補強テープの一方の端部が縫着され、さらに該補強テープの他方の端部が前記腰巻紐に縫着されることにより、ループ状の結合部が形成され、そして、前記前垂れ部、首掛け紐、腰巻紐及び補強テープが全てポリオレフィン樹脂から構成されていることを特徴とする前掛け。
【請求項３】
前垂れ部の上端に首掛け紐を縫着し、該前垂れ部の両側部に左右の腰巻紐をそれぞれ縫着してなる前掛けにおいて、前記首掛け紐の両端部は各々、前記前垂れ部の表裏いずれかの面に縫着されると共に、その反対側の面で該縫着箇所に対応する部位に第一の補強テープの一方の端部が縫着され、さらに該第一の補強テープの他方の端部が前記首掛け紐に縫着されることにより、ループ状の結合部が形成され、また、前記左右の腰巻紐の端部はそれぞれ、前記前垂れ部の表裏いずれかの面に縫着されると共に、その反対側の面で該縫着箇所に対応する部位に第二の補強テープの一方の端部が縫着され、さらに該第二の補強テープの他方の端部が前記腰巻紐に縫着されることにより、ループ状の結合部が形成され、そして、前記前垂れ部、首掛け紐、腰巻紐、第一の補強テープ及び第二の補強テープが全てポリオレフィン樹脂から構成されていることを特徴とする前掛け。
【発明の詳細な説明】
【０００１】
【発明の属する技術分野】
本発明は、例えば肉、魚、野菜等の食品の加工現場のように、水分の飛散を伴う現場において着用され得る前掛けに関する。
【０００２】
【従来の技術】
例えば水産加工食品等の製造現場や肉、魚、野菜等の食品の加工現場においては、原料の一部や水分が飛散しやすく、作業員は作業服を汚さない為に、その上から前掛けを着用して作業を行うのが普通である。前掛けには、上半身及び下半身を覆うものや下半身のみを覆うもの等、種々の形状のものが存在し、通常、作業内容に応じて使い分けられる。一般に、上半身と下半身を同時に覆う前掛けには首掛け紐と腰巻紐が縫着され、着用した際にそれらを首の後ろと腰の後ろにおいてそれぞれ結ぶことによって身体に固定される。その材質としては、防水性の点で布製よりも優れていることからポリ塩化ビニルからなる前掛けがこれまで広く使用されてきた。しかし、ポリ塩化ビニルは重量が比較的重いので作業員の動作を妨げやすく、長時間の着用は疲労を増加させる上、焼却の際のダイオキシン発生の一因と目される等、最近の環境問題の点からその使用や廃棄における規制がさらに厳しくなり、前掛けの材質として用いるには制限が多くなってきている。
【０００３】
【発明が解決しようとする課題】
そこで上述の理由により、ポリ塩化ビニルに代わって、軽量で焼却も容易なポリエチレン、ポリプロピレン等のポリオレフィンからなる前掛けの開発を試みた。その一態様が図４に示す前掛け１３である。ポリエチレン製の前掛け１３は、体を覆うシートである前垂れ部１４と、前垂れ部１４の上端に縫着されている首掛け紐１５及び前垂れ部１４の両側端に縫着されている腰巻紐１６から構成されるが、首掛け紐１５及び腰巻紐１６は、前垂れ部１４の表面、すなわち体に接する面を裏面とした場合の反対の面に糸で縫着されて接合部１７をそれぞれ形成する構造をとっている。また、前垂れ部１４の辺縁は内方に折り畳まれて折り返し部１８を形成する。図５は図４のＢの拡大図であるが、首掛け紐１５は、その末端部１９から辺縁部１８にまでわたって縦横斜めに縫着されている（縫着部分２０）。
【０００４】
ところが、特に種々の作業用機械が設置されている工場内の作業中においては、前掛け１３の首掛け紐１５を、機械や装置或いはその部分に引っ掛けてしまうケースが少なからずある。殆どの場合、首掛け紐１５が手前に引かれるように力が作用するが、それが何度も繰り返されると、接合部１７の縫い目が、上方から下方に向かって、すなわち辺縁部１８から末端部１９に向かって徐々にほころんでしまうことが多い。腰巻紐１６を機械や装置或いはその部分に引っ掛けた場合においては、後ろに引かれるように力が作用し、その結果として辺縁部１８に近い縫着部分から徐々にほころんでしまう。そこで、その接合部１７に補強を目的としてあて布をさらに重ねて縫着し、かようなほころびを防止する為の手段をとった。しかし、肉、魚、野菜等の食品の加工現場においては、水分や、又は原料の一部が非常に飛散しやすい環境であるので、水分等が知らず知らずのうちにあて布にも付着してしまうことが多い。その結果、水分を好む雑菌がそのあて布に繁殖してしまうことがあり、作業衛生上非常に好ましくない。また、該あて布を前掛け１３と同様にポリエチレン樹脂製のものに代えて使用することによって雑菌の繁殖を防止する手段も考えられたが、該手段は雑菌の繁殖を抑制するには適しているが、結局のところ、接合部１７のほころびやすさを改善するには至らなかった。
【０００５】
【課題を解決するための手段】
本発明は上記課題を解決する為になされたものであって、軽量で取り扱いやすい上に環境問題にも対応した材質からなるもので、さらには前垂れ部と首掛け紐及び腰掛け紐との縫着部がほころびにくく、堅牢な構造を有する前掛けに関する。
すなわち本発明は、前垂れ部の上端に首掛け紐を縫着し、該前垂れ部の両側部に左右の腰巻紐をそれぞれ縫着してなる前掛けにおいて、前記首掛け紐の両端部は各々、前記前垂れ部の表裏いずれかの面に縫着されると共に、その反対側の面で該縫着箇所に対応する部位に補強テープの一方の端部が縫着され、さらに該補強テープの他方の端部が前記首掛け紐に縫着されることにより、ループ状の結合部が形成され、そして、前記前垂れ部、首掛け紐、腰巻紐及び補強テープが全てポリオレフィン樹脂から構成されていることを特徴とする前掛けに関する。また本発明は、前垂れ部の上端に首掛け紐を縫着し、該前垂れ部の両側部に左右の腰巻紐をそれぞれ縫着してなる前掛けにおいて、前記左右の腰巻紐の端部はそれぞれ、前記前垂れ部の表裏いずれかの面に縫着されると共に、その反対側の面で該縫着箇所に対応する部位に補強テープの一方の端部が縫着され、さらに該補強テープの他方の端部が前記腰巻紐に縫着されることにより、ループ状の結合部が形成され、そして、前記前垂れ部、首掛け紐、腰巻紐及び補強テープが全てポリオレフィン樹脂から構成されていることを特徴とする前掛けにも関する。さらに本発明は、前垂れ部の上端に首掛け紐を縫着し、該前垂れ部の両側部に左右の腰巻紐をそれぞれ縫着してなる前掛けにおいて、前記首掛け紐の両端部は各々、前記前垂れ部の表裏いずれかの面に縫着されると共に、その反対側の面で該縫着箇所に対応する部位に第一の補強テープの一方の端部が縫着され、さらに該第一の補強テープの他方の端部が前記首掛け紐に縫着されることにより、ループ状の結合部が形成され、また、前記左右の腰巻紐の端部はそれぞれ、前記前垂れ部の表裏いずれかの面に縫着されると共に、その反対側の面で該縫着箇所に対応する部位に第二の補強テープの一方の端部が縫着され、さらに該第二の補強テープの他方の端部が前記腰巻紐に縫着されることにより、ループ状の結合部が形成され、そして、前記前垂れ部、首掛け紐、腰巻紐、第一の補強テープ及び第二の補強テープが全てポリオレフィン樹脂から構成されていることを特徴とする前掛けに関する。
【０００６】
本発明の前掛けは、前垂れ部、首掛け紐、腰巻紐及び補強テープを構成要素とするものであり、これらは全てポリオレフィン樹脂から構成されることを特徴の一つとする。前垂れ部は身体の前半身を覆う為の主要部分であって、水分や飛散した原料等の汚染から衣服を保護する役割を果たす。前垂れ部の形状としては、着用した者の前面をほぼ覆うものであれば良く、どのようなものでも構わない。前垂れ部の上端には首掛け紐が、及び前垂れ部の両側部に左右の腰巻紐がそれぞれ縫着されており、本前掛けを着用する際には、首掛け紐を首に掛け、そして左右の腰巻紐をそれぞれ腰の周りに回し、そして腰の後ろで互いに結び合わせることにより体に固定される。この場合、左右どちらか一方の腰巻紐にバックルの雄型嵌合部を有し、他方の腰巻紐にバックルの雌型嵌合部を有する構成であれば着用の際に左右の腰巻紐を互いに結び合わせる手間が省け、バックルの雄型嵌合部と雌型嵌合部とを互いに嵌合することによって簡単に体に固定される。また、左右の腰巻紐のうち、どちらか一方の腰巻紐が二本からなる場合であって、その二本が止め具によって互いに掛け止められる態様であれば、着用者の体形に合わせた長さに任意に調節することも可能となって好ましい。首掛け紐の場合においても上述したような態様をとることによって該紐の長さ調節が可能である。また、首掛け紐及び腰巻紐は、体に固定する為のものであるが、その役割を損なわなければどのような形状であっても良く、例えば通常の紐状であったり、細長いベルト形状であっても差し支えない。首掛け紐及び腰巻紐の一方の端部は前垂れ部に縫着されているが、その縫着部分を含む周辺部分はその他の部分よりも肉厚に成形されていることが好ましい。該構造をとることにより、縫着される側である前垂れ部が補強され、首掛け紐及び腰巻紐との縫着部分がより堅牢となる為である。または、前垂れ部と同様の材質のシートによって前垂れ部に重ねて縫着されて積層構造をとってもよい。
【０００７】
本発明の前掛けにおいては、これら首掛け紐及び腰巻紐の端部と前垂れ部とは、以下のとおりに縫着される。すなわち、首掛け紐と前垂れ部との縫着において、首掛け紐の両端部の各々は前垂れ部の表裏いずれかに縫着されるが、その縫着された側の面と反対側の面においては、補強テープの一方の端部が該縫着箇所に対応する部位に縫着されると共に、該補強テープの他方の端部は該首掛け紐に縫着されてループ状の結合部を形成するよう縫着される。また、首掛け紐と前垂れ部との縫着に関しては、首掛け紐の両端部のそれぞれの先端から該前垂れ部の辺縁部に対応する部分まで及ぶ構造としてもよく、又は前垂れ部の辺縁部には縫着せず、これより内側の部分に縫着される構造としてもよく、首掛け紐と補強テープとがループ状の結合部を形成する構造をとっていれば十分である。
また、腰巻紐と前垂れ部との縫着においても首掛け紐と前垂れ部との縫着方法と同様である。すなわち、左右の腰巻紐の端部はそれぞれ、前記前垂れ部の表裏いずれかの面に縫着されると共に、その反対側の面で該縫着箇所に対応する部位に補強テープの一方の端部が縫着され、さらに該補強テープの他方の端部が前記首掛け紐に縫着されることにより、ループ状の結合部が形成される構造をとる。かかるループ状結合部を形成してなる構造は、首掛け紐と前垂れ部との縫着部にのみ設けられてもよいし、腰巻紐と前垂れ部との縫着部にのみ設けられてもよい。もちろん、必要に応じてその双方の縫着部に設けられてもよいことは言うまでもない。
このように、本発明の前掛けは、首掛け紐及び／又は腰巻紐が補強テープと共に、前垂れ部を表裏から縫着される構造を有する。したがって、本前掛けを着用した場合において、首掛け紐及び／又は腰巻紐が手前に、後方に或いは斜めに引かれるなど、種々の方向に作用する力に対しての耐性が、首掛け紐及び／又は腰巻紐を単独で前垂れ部に縫着する場合と比較して高い。また、補強テープは首掛け紐及び／又は腰巻紐と前垂れ部に縫着される際、該首掛け紐及び／又は腰巻紐と共にループを形成するような縫着形態をとる。かかる構造によって、首掛け紐及び腰巻紐に作用する種々の方向の力を有効に分散せしめることができる。例えば、首掛け紐が手前に引かれるように力が作用した場合においても、その力は首掛け紐だけでなく、補強テープにも分散するので、首掛け紐と前垂れとの縫着部に作用する力が軽減される。したがって、首掛け紐又は腰巻紐を機械や装置或いはその部分に引っ掛けてしまうことが何度かあったとしても、首掛け紐又は腰巻紐と前垂れ部との縫着部がほころびる可能性が低く、製品としての寿命が従来品よりも長い。
【０００８】
本発明において、首掛け紐や腰巻紐の縫着方法としては、糸による縫着が挙げられるが、雑菌繁殖のおそれが比較的低いポリオレフィンフィラメントを使用することが好ましい。或いは、糸やフィラメントによる縫着に限らず、熱による溶着であってもよい。さらに本発明の前掛けの材質としてのポリオレフィンは、例えばポリエチレン、ポリプロピレン、ポリブテン等が挙げられる。
以上説明したように、本発明の前掛けは、前垂れ部、首掛け紐、腰巻紐及び補強テープ全てがポリオレフィン樹脂からなるものである。その為、ポリ塩化ビニル樹脂と異なり、軽量で取り扱いやすく、ダイオキシン類発生の原因とはならないことから焼却処分も容易である。また、布製の製品と異なり水分を好む雑菌が増殖するおそれがほとんどなく衛生的である。さらに、首掛け紐又は腰巻紐と前垂れ部との縫着部分がループ状の結合部を形成している為、従来品と比較して、種々の方向に作用する力、特に手前に引っ張る力に対して耐性の高い構造となっている為、例えば首掛け紐又は腰巻紐に機械や装置或いはその部分を引っ掛けてしまったとしても、その縫着部分がほころびてしまうおそれが少ない。
【０００９】
【実施例】
図面を参照して本発明をさらに詳しく説明する。以下の実施例は本発明を限定することを目的とするものではない。
【００１０】
実施例１
本発明の実施態様の一つである前掛け１を図１に示す。前掛け１は、四角形状の前垂れ部２、前垂れ部２の上端にベルト状の首掛け紐３、前垂れ部２の両側端に同様にベルト状の腰掛け紐４ａ、４ｂをそれぞれ設けてなる構造をとっており、これらは全てポリエチレン樹脂からなる。前垂れ部２の辺縁部５は、補強の為に１ｃｍ分内方に折り返され、そして糸により縫着されている。また、前垂れ部２の左右両側のそれぞれの上部及び下部には、補強の為に同様のポリエチレン樹脂シートにより重ね貼りされて積層部６を形成し、厚みを増して破損しにくい構造となるよう設計されている。首掛け紐３及び腰掛け紐４ａ、４ｂは、前垂れ部２に糸で縫着されており、接合部７を形成している。また、腰掛け紐４ａ、４ｂは、同様にポリエチレン製であるバックルの雄型嵌合部８及び雌型嵌合部８’をそれぞれ設けているので、着用した際はこれら雄型嵌合部８と雌型嵌合部８’とを互いに嵌め合わせるだけで、前掛け１は容易に体に固定され得る。また、右の腰巻紐４ａは二本のベルト状からなっており、これらは互いに止め具９によって掛け止められている。そして前掛け１を着用した際に腰巻紐４ａの長さを体格に合わせて調節することができる。
図１のＡの拡大図である図２に示すように、首掛け紐３は、その端部において前垂れ部２に糸で縫着されて接合部７を形成しているが、前垂れ部２との縫着部分１０の位置から判るように前垂れ部２の辺縁部５を除いて、跨ぐように縫着されている。さらに、Ａに示す部分を逆側、つまり前掛け１の裏面から見た図３に示すように、補強テープ１１の両端は首掛け紐３と前垂れ部２とにそれぞれ縫着されているが、一方の端部は図２に示す接合部７に対応する部位において前垂れ部２と縫着されて縫着部分１０を形成し、そして補強テープ１１の他方の端部は首掛け紐３に縫着されて縫着部分１２を形成している。すなわち、図３に示す補強テープ１１は、首掛け紐３と共にループ状の結合部を形成し、前垂れ部２に縫着される構造をとっている。該構造をとることにより、首掛け紐３に種々の方向から力が作用した場合、その力が首掛け紐３と補強テープ１１とに分散される為、接合部７にかかる力を有効に軽減することができる。したがって、接合部７は手前方向や上下方向など、種々の方向に作用する力に対しての耐性がより高まる。本実施例においては、かかるループ状の結合部を形成する構造は、腰巻紐４と前垂れ部２との接合部７にも同様になされている。この為、従来品のように、首掛け紐もしくは腰巻紐が単独でそれぞれ前垂れ部に縫着される構造と比較して、種々の方向から作用する力に対する抵抗力がより強く、首掛け紐及び腰巻紐と前垂れ部との縫着部がほころぶ可能性が低い。
【００１１】
【発明の効果】
以上説明したように、本発明の前掛けは焼却しやすく、軽量であって、雑菌が繁殖するおそれもほとんどなく、さらに首掛け紐及び腰巻紐と前垂れ部との接合部分が非常にほころびにくい構造に設計されている。したがって、例えば肉、魚、野菜等の食品の加工現場のように水分の飛散が比較的激しく、機械の設置数が多い現場において着用されることに非常に適している。
【００１２】
【図面の簡単な説明】
【図１】本発明の前掛け１を示す図である。
【図２】図１におけるＡの部分を拡大した図である。
【図３】図２のＡの部分を裏面から見た図
【図４】従来の前掛けを示す図である。
【図５】図４のＢの部分を拡大した図である。
【符号の説明】
１　　前掛け　　　　２　　前垂れ部　　　　３　　首掛け紐
４ａ　腰巻紐　　　　４ｂ　腰巻紐　　　　　５　　辺縁部
６　　積層部　　　　７　　接合部　　　　　８　　雄型嵌合部
８’　雌型嵌合部　　９　　止め具　　　　１０　　縫着部分
１１　　補強テープ　１２　　縫着部分　　　１３　　前掛け
１４　　前垂れ部　　１５　　首掛け紐　　　１６　　腰巻紐
１７　　接合部　　　１８　　辺縁部　　　　１９　　末端部
２０　　縫着部分
【図１】
2004019032.tif 000002
【図２】
2004019032.tif 000003
【図３】
2004019032.tif 000004
【図４】
2004019032.tif 000005
【図５】
2004019032.tif 000006